(57)【特許請求の範囲】
【請求項１】
真空掃除機のための伸縮式ワンドであって、内側チューブと外側チューブとキャッチとを備えている前記伸縮式ワンドにおいて、
前記内側チューブが、複数の突起を備えており、前記外側チューブが、一組のボスを備えており、前記キャッチが、ロッキングスタブを備えており、
前記キャッチが、前記外側チューブに回動可能に取り付けられており、ロック位置とロック解除位置との間において回動するように構成されており、
前記ロッキングスタブが、前記キャッチが前記ロック位置に位置している場合に、前記突起のうち２つの突起の間において凹所の内部に突出しており、
前記ロッキングスタブが、前記キャッチが前記ロック解除位置に位置している場合に、前記突起から外れるように持ち上げられ、
前記キャッチが前記ロック位置に位置している場合に押付力又は引張力を前記伸縮式ワンドに作用させることによって、前記２つの突起のうち第１の突起が前記ロッキングスタブの一方の側面に当接され、且つ、前記ボスが前記ロッキングスタブの他方の側面に当接され、
前記キャッチが前記ロック解除位置に位置している場合に押付力又は引張力を前記伸縮式ワンドに作用させることによって、前記内側チューブを前記外側チューブに対して相対的に滑動させ、前記２つの突起のうち第２の突起が前記ボス同士の間を通過されることを特徴とする伸縮式ワンド。
【請求項２】
前記内側チューブが、平坦部を備えており、
前記突起が、前記平坦部から突出しており、
前記平坦部が、前記平坦部が前記突起の側部それぞれに沿って延在するように、前記突起より幅広とされることを特徴とする請求項１に記載の伸縮式ワンド。
【請求項３】
前記内側チューブが、円又は楕円の一部分に相当する断面形状を有しており、
前記平坦部が、前記一部分の弦に相当することを特徴とする請求項２に記載の伸縮式ワンド。
【請求項４】
前記外側チューブが、円又は楕円とされる断面形状を有していることを特徴とする請求項１〜３のいずれか一項に記載の伸縮式ワンド。
【請求項５】
前記キャッチが、前記突起の上方に配置されている回動点を中心として回動することを特徴とする請求項１〜４のいずれか一項に記載の伸縮式ワンド。
【請求項６】
前記外側チューブが、一組のさらなるボスを備えており、
前記キャッチが前記ロック位置に位置している場合に押付力を前記伸縮式ワンドに作用させることによって、前記２つの突起のうち前記第１の突起が、前記ロッキングスタブの前記一方の側面に当接し、且つ、前記ボスが、前記ロッキングスタブの前記他方の側面に当接し、
前記キャッチが前記ロック位置に位置している場合に引張力を前記伸縮式ワンドに作用させることによって、前記２つの突起のうち前記第２の突起が、前記ロッキングスタブの前記他方の側面に当接され、且つ、前記さらなるボスが、前記ロッキングスタブの前記一方の側面に当接されることを特徴とする請求項１〜５のいずれか一項に記載の伸縮式ワンド。
【請求項７】
前記キャッチが前記ロック解除位置に位置している場合に前記押付力又は前記引張力を前記伸縮式ワンドに作用させることによって、前記内側チューブが、前記外側チューブに対して相対的に滑動し、且つ、前記２つの突起のうち前記第１の突起が、前記さらなるボス同士の間を通過することを特徴とする請求項６に記載の伸縮式ワンド。
【請求項８】
前記キャッチが前記ロック位置に位置している場合に前記押付力又は前記引張力を前記伸縮式ワンドに作用させることによって、前記第１の突起が、第１の力を前記ロッキングスタブに作用させ、且つ、前記ボスが、第２の力を前記ロッキングスタブに作用させ、
前記第２の力が、前記第１の力と同一の大きさを有しており、前記第１の力の反対方向に向いており、前記第１の力と同一の作用線を有していることを特徴とする請求項１〜７のいずれか一項に記載の伸縮式ワンド。
【請求項９】
真空掃除機のための伸縮式ワンドであって、内側チューブと外側チューブとキャッチとを備えている前記伸縮式ワンドにおいて、
前記内側チューブが、複数の突起を備えており、前記外側チューブが、一組のボスを備えており、前記キャッチが、ロッキングスタブを備えており、
前記キャッチが、前記外側チューブに回動可能に取り付けられており、ロック位置とロック解除位置との間において回動するように構成されており、
前記ロッキングスタブが、前記キャッチが前記ロック位置に位置している場合に、前記突起のうち２つの突起の間において凹所の内部に突出しており、前記ロッキングスタブが、前記キャッチが前記ロック解除位置に位置している場合に、前記突起から外れるように持ち上げられ、
前記キャッチが前記ロック位置に位置している場合に押付力又は引張力を前記伸縮式ワンドに作用させることによって、前記２つの突起のうち第１の突起が、第１の力を前記ロッキングスタブに作用させ、且つ、前記ボスが、第２の力を前記ロッキングスタブに作用させ、
前記第２の力が、前記第１の力と同一の大きさを有しており、前記第１の力の反対方向に向いており、前記第１の力と同一の作用線を有していることを特徴とする伸縮式ワンド。
【請求項１０】
前記キャッチが前記ロック解除位置に位置している場合に前記押付力又は前記引張力を前記伸縮式ワンドに作用させることによって、前記内側チューブが前記外側チューブに対して相対的に滑動し、且つ、前記２つの突起のうち第２の突起が前記ボス同士の間を通過することを特徴とする請求項９に記載の伸縮式ワンド。
【請求項１１】
前記外側チューブが、一組のさらなるボスを備えており、
前記キャッチが前記ロック位置に位置している場合に押付力を前記伸縮式ワンドに作用させることによって、前記２つの突起のうち前記第１の突起が、前記第１の力を前記ロッキングスタブに作用させ、
前記キャッチが前記ロック位置に位置している場合に引張力を前記伸縮式ワンドに作用させることによって、前記２つの突起のうち第２の突起が、第３の力を前記ロッキングスタブに作用させ、且つ、第４の力を前記ロッキングスタブに作用させ、
前記第４の力が、前記第３の力と同一の大きさを有しており、前記第３の力の反対方向に向いており、前記第３の力と同一の作用線を有していることを特徴とする請求項９又は１０に記載の伸縮式ワンド。
【請求項１２】
前記キャッチが前記ロック解除位置に位置している場合に前記押付力又は引張力を前記伸縮式ワンドに作用させることによって、前記内側チューブが、前記外側チューブに対して相対的に滑動し、前記２つの突起のうち前記第１の突起が、前記さらなるボス同士の間を通過することを特徴とする請求項１１に記載の伸縮式ワンド。
【発明の詳細な説明】
【技術分野】
【０００１】
本発明は、真空掃除機のための伸縮式ワンドに関する。
【０００２】
真空掃除機の伸縮式ワンドは、内側チューブと、外側チューブと、外側チューブに対する内側チューブの位置をロックするためのキャッチとを備えている。キャッチは、ロック位置とロック解除位置との間において移動するために、外側チューブに回動可能に取り付けられている。キャッチがロック位置に位置している場合には、ワンドに作用する押付力及び引張力がピボットによって支持される必要がある。しかしながら、作用する力は著しく大きいので、必要とされるピボットは、ワンドの大きさ及び／又は組立の点において妥協したものになっている。さらに、ピボットの配置に依存して、キャッチは、作用する力に応答して上方向又は下方向に回動する。作用する力が十分大きい場合には、キャッチがロック位置で動かなくなるか、又はロック解除位置に至るまで回動する。
【０００３】
本発明は、真空掃除機のための伸縮式ワンドであって、内側チューブと外側チューブとキャッチとを備えている伸縮式ワンドにおいて、内側チューブが、複数の突起を備えており、外側チューブが、一組のボスを備えており、キャッチが、ロッキングスタブを備えており、キャッチが、外側チューブに回動可能に取り付けられており、ロック位置とロック解除位置との間において回動するように構成されており、ロッキングスタブが、キャッチがロック位置に位置している場合に、突起のうち２つの突起の間において凹所の内部に突出しており、ロッキングスタブが、キャッチがロック解除位置に位置している場合に、突起から外れるように持ち上げられ、キャッチがロック位置に位置している場合に押付力又は引張力を伸縮式ワンドに作用させることによって、２つの突起のうち第１の突起がロッキングスタブの一方の側面に当接し、且つ、ボスがロッキングスタブの他方の側面に当接し、キャッチがロック解除位置に位置している場合に押付力又は引張力を伸縮式ワンドに作用させることによって、内側チューブを外側チューブに対して相対的に滑動させ、２つの突起のうち第２の突起がボス同士の間を通過されることを特徴とする伸縮式ワンドを提供する。
【０００４】
結論として、キャッチがロック位置に位置しており、且つ、押付力又は引張力がワンドに作用する場合には、第１の突起がキャッチに作用させる力は、ボスがキャッチに作用させる力の反対向きである。従って、キャッチと外側チューブとの間における回動は、作用する力の最大値に耐えるために必要とされない。その結果として、そうでなければ作用する力の最大値を受けた場合に破損するであろう比較的小さいピボットが利用可能とされる。
【０００５】
キャッチがロック解除位置に位置しており、且つ、押付力又は引張力がワンドに作用する場合には、内側チューブが外側チューブに対して相対的に滑動し、２つの突起のうち第２の突起がボス同士の間を通過する。第２の突起がボス同士の間を通過するように配置することによって、ボスを第１の突起と略同一の高さに配置させることができる。このことは、キャッチがロック位置に位置しており、且つ、押付力又は引張力がワンドに作用する場合に、ボスがキャッチに作用させる力が、第１の突起が作用させる力と略同一の作用線を有しているという優位線を有している。その結果として、キャッチにはトルクがほとんど作用しないので、押付力又は引張力が作用した場合であっても、キャッチはほとんど回動しない。
【０００６】
内側チューブが、平坦部を備えており、突起が、平坦部から突出しており、平坦部が、平坦部が突起の側部それぞれに沿って延在するように、突起より幅広とされる。このことは、外側チューブのボスが突起と同一又は略同一の高さに比較的小型な形態で配置可能とされるという優位性を有している。特に、外側チューブは、滑動可能とされるように、内側チューブの外径より僅かに大きい内径を有している。内側チューブの平坦部は、外側チューブのボスのための空間を備えている。
【０００７】
内側チューブが、円又は楕円の一部分に相当する断面形状を有しており、平坦部が、当該一部分の弦に相当する。さらに、外側チューブが、円又は楕円とされる断面形状を有している場合がある。
【０００８】
前記キャッチが、前記突起の上方に配置されている回動点を中心として回動する。このことは、比較的小型のキャッチが利用可能となるという優位性を有している。ボスが設けられていない場合には、力のモーメントすなわちトルクが、押付力又は引張力に応答してキャッチに作用する。このトルクによって、キャッチが下方向又は上方向に回動するので、キャッチがロック位置で動かなくなるか、又はロック解除位置に移動する。第２の突起がボス同士の間を通過するように配置することによって、ボスが作用させる正味の力は、第１の突起によって作用される力と略同一の作用線を有している。その結果として、キャッチにはトルクが作用される力に応答して作用しない。従って、キャッチがロック位置で動かなくなるか、又はロック解除位置に移動するという恐れがなく、回動点を突起の上方に配置させることができる。
【０００９】
外側チューブが、一組のさらなるボスを備えている。キャッチがロック位置に位置している場合に押付力を伸縮式ワンドに作用させることによって、２つの突起のうち第１の突起が、ロッキングスタブの一方の側面に当接し、且つ、ボスが、ロッキングスタブの他方の側面に当接する。さらに、キャッチがロック解除位置に位置している場合に引張力を伸縮式ワンドに作用させることによって、２つの突起のうち第２の突起が、ロッキングスタブの他方の側面に当接し、且つ、さらなるボスが、ロッキングスタブの一方の側面に当接する。その結果として、キャッチと外側チューブとの間における回動が、押付力又は引張力に耐えるために必要とされない。
【００１０】
キャッチがロック解除位置に位置しており、且つ、押付力又は引張力が伸縮式ワンドに作用される場合には、内側チューブが、外側チューブに対して相対的に滑動し、第１の突起が、さらなるボス同士の間を通過する。第１の突起がさらなるボス同士の間を通過するように配置することによって、さらなるボスを第２の突起と略同一の高さに配置することができる。このことは、キャッチがロック位置に位置しており、且つ、引張力がワンドに作用する場合には、さらなるボスがキャッチに作用させる力は、第２の突起によって作用される力と略同一の作用線を有している。その結果として、キャッチにはトルクがほとんど作用しないので、引張力が作用した場合に、キャッチがロック解除位置に不慮に移動しなくなる。
【００１１】
キャッチがロック位置に位置している場合に押付力又は引張力を伸縮式ワンドに作用させることによって、第１の突起が、第１の力をロッキングスタブに作用させ、且つ、ボスが、第２の力をロッキングスタブに作用させる。第２の力が、第１の力と同一の大きさを有しており、第１の力の反対方向に向いており、第１の力と同一の作用線を有している。その結果として、回動は、作用される力に耐えるために必要とされない。さらに、トルクがキャッチに作用しなくなるので、キャッチは作用される力に応答して回動しない。
【００１２】
また、本発明は、真空掃除機のための伸縮式ワンドであって、内側チューブと外側チューブとキャッチとを備えている伸縮式ワンドにおいて、内側チューブが、複数の突起を備えており、外側チューブが、一組のボスを備えており、キャッチが、ロッキングスタブを備えており、キャッチが、外側チューブに回動可能に取り付けられており、ロック位置とロック解除位置との間において回動し、ロッキングスタブが、キャッチがロック位置に位置している場合に、突起のうち２つの突起の間において凹所の内部に突出しており、ロッキングスタブが、キャッチがロック解除位置に位置している場合に、突起から外れるように持ち上げられ、キャッチがロック位置に位置している場合に押付力又は引張力を伸縮式ワンドに作用させることによって、第１の突起が、第１の力をロッキングスタブに作用させ、且つ、ボスが、第２の力をロッキングスタブに作用させ、第２の力が、第１の力と同一の大きさを有しており、第１の力の反対方向に向いており、第１の力と同一の作用線を有していることを特徴とする伸縮式ワンドを提供する。
【００１３】
ボスが、第１の突起と同一の作用線を有している同じ大きさで反対方向の力をロッキングスタブに作用させるので、キャッチと外側チューブとの間における回動が、押付力又は引張力に耐えるために必要ではなくなる。従って、押付力又は引張力が作用した場合に発生するであろう回動を利用することができる。さらに、ボスが作用させる力と第１の突起が作用させる力とが同一の作用線を有しているので、押付力又は引張力の結果として、トルクがキャッチに作用せず、これによりキャッチが不慮に回動することが防止される。
【００１４】
外側チューブが、一組のさらなるボスを備えている。キャッチがロック位置に位置している場合に押付力を伸縮式ワンドに作用させることによって、２つの突起のうち第１の突起が、第１の力をロッキングスタブに作用させる。さらに、キャッチがロック位置に位置している場合に引張力を伸縮式ワンドに作用させることによって、２つの突起のうち第２の突起が、第３の力をロッキングスタブに作用させ、且つ、第４の力をロッキングスタブに作用させる。第４の力が、第３の力と同一の大きさを有しており、第３の力の反対方向に向いており、第３の力と同一の作用線を有している。その結果として、キャッチと外側チューブとの間における回動は、押付力又は引張力に耐えるために必要とはなくなり、押付力又は引張力の結果として、トルクがキャッチに作用しなくなる。
【００１５】
本出願では、‘上方向（upward）’、‘下方向（downward）’、‘上方（above）’、及び‘下方（below）’との用語は、チューブの長手方向中心軸線を基準とするものである。結論として、‘上方向（upward）’及び‘下方向（downward）’との用語は、長手方向中心軸線から離れる方向及び長手方向中心軸線に向かう方向の両方を意味することに留意すべきである。さらに、第１の形体が第２の形体の‘上方（above）’又は‘下方（below）’に配置されているとの説明は、第１の形体が長手方向中心軸線から離隔して又は長手方向中心軸線に近接して配置されていることを意味する。
【００１６】
本発明を一層容易に理解するために、本発明の実施例について、添付図面を参照しつつ例示的に説明する。
【図面の簡単な説明】
【００１７】
【図１】本発明における伸縮式ワンドの斜視図である。
【図２】伸縮式ワンドの部分的な分解図である。
【図３】伸縮式ワンドの斜視断面図である。
【図４】伸縮式ワンドの特定の特徴を良好に表わすために省略されているが、伸縮式ワンドのキャッチを具備する図３と同一の図面である。
【図５】キャッチがロック位置に位置している状態における伸縮式ワンドを長手方向において切断した側面図である。
【図６】キャッチがアンロック位置に位置している状態における伸縮式ワンドを長手方向において切断した側面図である。
【図７】図３に表わす断面の平面図である。
【図８】図７に表わす囲み領域の拡大図である。
【発明を実施するための形態】
【００１８】
図１〜図８に表わす伸縮式ワンド１が、内側チューブ２と外側チューブ３とキャッチ組立体４とを備えている。
【００１９】
内側チューブ２は、略円筒状の形態とされる。しかしながら、内側チューブ２の頂部は、平坦部分２０を備えている。その結果として、内側チューブ２が円の一部分に類似する断面形状を有しており、弦（chord）の部分が平坦部分２０とされる。内側チューブ２は、平坦部分２０から上方に突出している複数の突起２１を備えている。一組の突起２１の間に形成されている間隙それぞれが、凹所２２を形成しており、キャッチ組立体４のロッキングスタブ４４は、間隙の内部に突出している。このことは、以下において詳述する。内側チューブ２の第１の端部は、掃除機ヘッド又は付属品（図示しない）に取り付け可能とされ、内側チューブ２の、反対側に位置する第２の端部は、外側チューブ３の内側に受容されている。内側チューブ２は、中央長手方向軸線２３に沿って外側チューブ３に対して相対的に滑動し、シール２４は、内側チューブ２と外側チューブ３との間における漏出を最小限度に抑えるように、内側チューブ２の第２の端部に設けられている。
【００２０】
外側チューブ３は、円筒状の形態とされる。外側チューブ３の第１の端部は内側チューブ２を囲んでおり、反対側に位置する第２の端部はハンドル又はホース（図示しない）に取り付け可能とされる。開口部３１が、外側チューブ３の頂部に形成されており、外側チューブ３の第１の端部に向かって配置されている。外側チューブ３は、開口部３１の両側に配置されている一組のラグ３２と、開口部３１の一方の端部に配置されているストッパ３３とを備えている。以下に説明するように、ラグ３２は、キャッチ組立体４のための支点として機能し、ストッパ３３は、キャッチ組立体４の移動を制限するように機能する。さらに、外側チューブ３は、一組の前方ボス３４と一組の後方ボス３５とを備えている。前方ボス３４は、キャッチ組立体４のロッキングスタブ４４の前方に配置されており、後方ボス３５は、ロッキングスタブ４４の後方に配置されている。前方ボス３４と後方ボス３５とは、突起２１と略同一の高さに配置されている。さらに、一組の前方ボス３４及び一組の後方ボス３５のボスは、突起２１の両側に配置されている。その結果として、内側チューブ２が外側チューブ３に対して相対的に滑動した場合に、突起２１が、前方ボス３４同士の間を、及び後方ボス３５同士の間を通過する。以下に説明するように、押す力又は引く力がワンド１に作用した場合には、前方ボス３４及び後方ボス３５は、突起２１を介してロッキングスタブ４４に作用する力に抗するように機能する。
【００２１】
キャッチ組立体４は、キャッチ４１とバネ４２とを備えている。
【００２２】
キャッチ４１は、ボタン４３とロッキングスタブ４４とを備えている一体部品とされる。キャッチ４１は、ボタン４３とロッキングスタブ４４との間に配置されている回動点４５において、外側チューブ３に回動可能に取り付けられている。より具体的には、キャッチ４１は、キャッチ４１の側部それぞれに配置されている一組の凹所４６を備えている。外側チューブ３のラグ３２は、略三角状の形状とされ、凹所４６の内側に座しており、キャッチ４１のための支点として機能する。
【００２３】
バネ４２は、一方の端部においてキャッチ４１の下面に固定されていると共に反対側の端部において外側チューブ３の内面に固定されている、板バネとされる。バネ４２は、ロッキングスタブ４４を内側チューブ２に向かって下方に引っ張る付勢力をキャッチに作用させる。
【００２４】
キャッチ４１は、ロック位置（図５参照）とロック解除位置（図６参照）との間において回動する。キャッチ４１は、バネ４２によって付勢される。キャッチ４１がロック位置に位置している場合には、ロッキングスタブ４４が、内側チューブ２の突起２１のうち２つの突起の間において、凹所２２の内部に突出している。従って、内側チューブ２が外側チューブ３に対して移動することが防止される。特に、内側チューブ２が左側に又は右側に移動された場合に、ロッキングスタブ４４が突起２１のうち一の突起に当接するので、内側チューブ２がさらに移動することが防止される。キャッチ４１は、ボタン４３を押し下げることによって、ロック解除位置に移動される。ボタン４３が押し下げられた場合には、キャッチ４１が、バネ４２の付勢力に抗して、回動点４５を中心として回動する。その結果として、ロッキングスタブ４４が上方に回動する。その後に、ロッキングスタブ４４は、凹所２２及び突起２１から外れて持ち上げられる。内側チューブ２は、外側チューブ３に対して相対的に左右に自在に滑動可能とされる。ボタン４３が解除された場合には、バネ４２がロッキングスタブ４４を下方に付勢する。内側チューブ２の位置に依存して、ロッキングスタブ４４は下方に付勢され、凹所２２のうち一の凹所の内部に又は突起２１のうち一の突起の上に向かう。前者の場合には、キャッチ４１がロック位置に復帰する。後者の場合には、内側チューブ２がさらに移動することによって、ロッキングスタブ４４が突起２１の頂面上を滑動され、ロッキングスタブ４４が凹所２２のうち一の凹所と位置合わせされ且つ当該一の凹所に嵌め込まれ、このときにキャッチ４１がロック位置に復帰する。
【００２５】
図５及び図６から理解されるように、外側チューブ３のストッパ３３が、キャッチ４１の上方移動及び下方移動の両方を制限する。ボタン４３が押し下げられ、且つ、ロッキングスタブ４４が上方に回動した場合に、ロッキングスタブ４４が突起２１から外れると、ロッキングスタブ４４がストッパ３３の下面に当接する。従って、ボタン４３がさらに下方に移動することが防止され、これにより、利用者は、キャッチ４１がロック解除位置に位置していることを認識することができる。ボタン４３が解除され、且つ、バネ４２がロッキングスタブ４４を下方に付勢した場合に、キャッチ４１が外側チューブ３と同じ高さに位置すると、キャッチ４１がストッパ３３の上面に当接する。結論として、キャッチ４１がロック位置に位置している場合には、ロッキングスタブ４４が凹所２２の内部に突出しているが、それにも関わらず、ロッキングスタブ４４の底部と内側チューブ２の頂部との間に小さい間隙が形成されてしまう。外側チューブ３と同じ高さの位置においてキャッチ４１を停止させることによって、キャッチ４１は、ロック位置に位置している場合に、外側チューブ３と面一になっている。このことは、キャッチ４１が例えば張り布やカーテンのような物品に利用の際に不慮に引っ掛かることがなくなるという優位性を有している。
【００２６】
キャッチ４１がロック位置に位置しており、且つ、引張力又は押付力がワンド１に作用する場合における、キャッチ４１と内側チューブ２と外側チューブ３との間に生じる相互作用について、以下に説明する。押付力又は引張力は、内側チューブ２を外側チューブ３に対して相対的に長手方向軸線２３に沿って移動させるようとする力である。従って、押付力は、内側チューブ２を外側チューブ３に向かって移動させようとする方向に作用する一方、引張力は、内側チューブ２を外側チューブ３から離隔するように移動させようとする方向に作用する。そこで、キャッチ４１がロック解除位置に位置しており、且つ、押付力がワンド１に作用している場合には、内側チューブ２と外側チューブ３とが一体化し、ワンド１の長さが短縮される。逆に、キャッチ４１がロック解除位置に位置しており、且つ、引張力がワンド１に作用している場合には、内側チューブ２と外側チューブ３とが離れて、ワンド１の長さが伸長する。
【００２７】
図７及び図８は、ロック位置における、キャッチ４１を具備したワンド１を表わす。ロッキングスタブ４４は、内側チューブ２の第１の突起２１ａと第２の突起２１ｂとの間において凹所２２の内部に突出している。
【００２８】
押付力がワンド１に作用した場合には、内側チューブ２が外側チューブ３及びキャッチ４１に対して相対的に右側に向かって移動する。従って、第１の突起２１ａは、ロッキングスタブ４４の第１の側面４７に当接し、第１の力をロッキングスタブ４４に作用させる。キャッチ４１と外側チューブ３との間における回動には、ある程度の遊嵌が存在する。言い換えれば、外側チューブ３のラグ３２がキャッチ４１の凹所４６の壁と係合する前に、キャッチ４１は、小さい移動量ではあるが、外側チューブ３に対して相対的に左右に自在に移動することができる（図７参照）。結論として、第１の力に応答して、キャッチ４１は、右側に向かう方向において外側チューブ３に対して相対的に移動する。従って、後方ボス３５は、ロッキングスタブ４４の反対側に位置する第２の側面４８に当接し、第２の力をロッキングスタブ４４に作用させる。第２の力は、第１の力と同一の大きさとされ、第１の力の反対向きに作用し、第１の力と同一の作用線を有している。その結果として、内側チューブ２が右側にさらに移動することが防止される。
【００２９】
引張力がワンド１に作用した場合に、内側チューブ２が、左側に向かって外側チューブ３及びキャッチ４１に対して相対的に移動する。従って、第２の突起２１ｂが、ロッキングスタブ４４の第２の側面４８に当接し、第３の力をロッキングスタブ４４に作用させる。キャッチ４１と外側チューブ３との間における回動にある程度の遊嵌が存在することに起因して、第３の力によって、キャッチ４１が左側に向かって外側チューブ３に対して相対的に移動される。従って、前方ボス３４が、ロッキングスタブ４４の第１の側面４７に当接し、第４の力をロッキングスタブ４４に作用させる。第４の力は、第３の力と同一の大きさとされ、第３の力の反対向きに作用し、第３の力と同一の作用線を有している。その結果として、内側チューブ２が左側にさらに移動することが防止される。
【００３０】
ワンド１に作用する力が押付力であるのか引張力であるのかに関わりなく、前方ボス３４及び後方ボス３５は、所定の力をロッキングスタブ４４に作用させる。当該所定の力は、内側チューブ２の突起２１が作用させる力と同一の大きさとされ、当該力の反対向きに作用し、当該力と同一の作用線を有している。その結果として、キャッチ４１と外側チューブ３との間における回動は、押付力又は引張力に耐えるために必要とされない。従って、押付力又は引張力が作用した場合に発生する回動を利用することができる。
【００３１】
前方ボス３４及び後方ボス３５は、突起２１が作用させる力と同一の作用線を有している力を作用させる。このことは、突起２１と略同一の高さにおいて前方ボス３４及び後方ボス３５を突起２１の側面それぞれに配置させることによって実現される。前方ボス３４及び後方ボス３５をこのように配置させたことの結果として、突起２１は、キャッチ４１がロック解除位置に位置しており、且つ、押付力又は引張力がワンド１に作用している場合に、前方ボス３４と後方ボス３５との間を通過する。
【００３２】
キャッチ４１は、突起２１の上方に配置されている回動点４５において、外側チューブ３に対して相対的に回動する。その結果として、前方ボス３４及び後方ボス３５が設けられていないが、回動が作用する力に耐えるように設計されている場合には、外側チューブ３がキャッチ４１に作用させる力は、突起２１がキャッチ４１に作用させる力に対する異なる作用線を有している。特に外側チューブ３によって作用される力は、より高い作用線を有している。結果として、力のモーメントすなわちトルクがキャッチ４１に作用される。このトルクによって、ロッキングスタブ４４が、作用される力が押付力であるのか引張力であるのかに従って、下方又は上方に回動する。外側チューブ３のストッパ３３は、ロッキングスタブ４４が下方に回動することを防止する。しかしながら、ロッキングスタブ４４は、バネ４２の付勢力に抗して上方に回動する場合がある。ワンド１に作用する力が十分に大きい場合には、キャッチ４１がロック解除位置に移動可能となる。前方ボス３４及び後方ボス３５を設けることによって、トルクがキャッチ４１に作用しなくなる。その結果として、キャッチ４１の回動点４５が、キャッチ４１が不慮にロック解除位置に移動する恐れがなく、突起２１の上方に配置される。
【００３３】
ワンド１の寸法公差及び幾何公差に起因して、突起２１がキャッチ４１に作用させる力と前方ボス３４及び後方ボス３５がキャッチ４１に作用させる力とが、同一の作用線を正確には有していない場合がある。従って、押付力又は引張力がワンド１に作用される場合には、トルクがキャッチ４１に作用する。しかしながら、このようなトルクは比較的小さい。従って、作用される力が比較的大きい場合であっても、結果として生じるトルクは、キャッチ４１をロック解除位置に移動させるには不十分である。
【００３４】
内側チューブ３は平坦部分２０を有しており、突起２１が平坦部分２０から突出している。平坦部分２０は突起２１より幅広であるので、平坦部分２０は突起２１それぞれの両側部に沿って延在している。このことは、外側チューブ３の前方ボス３４及び後方ボス３５を突起２１と略同一の高さに比較的小型な形態で配置することができるという優位性を有している。特に、外側チューブ３は、滑動可能とするように、内側チューブ２の外径より僅かに大きい内径を有している。内側チューブ２の頂部に設けられた平坦部２０は、外側チューブ３の前方ボス３４及び後方ボス３５のための空間を形成している。
【００３５】
外側チューブ３は、前方ボス３４及び後方ボス３５の両方を有しているが、前方ボス３４のみであったとしても、又は後方ボス３５のみであったとしても、著しい効果を発揮させることができる。例えば、ワンド１が掃除機ヘッドを表面に亘って操作するために利用される場合には、一般に、ワンド１に作用される押付力は引張力より大きい。従って、後方ボス３５を設けることによって、比較的小さい引張力に耐えることができるピボットを利用することができるが、比較的大きい押付力を受けた場合には、後方ボス３５が破損するだろう。さらなる例として、ピボットは、押付力及び引張力の両方に耐えるように構成されている場合がある。前方ボス３４は、比較的大きい引張力がワンド１に作用した場合にキャッチ４１がロック解除位置に不慮に移動することを防止するために設けられている場合がある。
【００３６】
内側チューブ３は複数の凹所２２を有しており、キャッチ４１のロッキングスタブ４４が凹所２２の内部に突出することができる。このことは、ワンド１の長さが利用者の高さ又は使用目的に従って調整可能となるという優位性を有している。しかしながら、場合によっては、内側チューブ３は、一組の突起２１の間に配置されている単一の凹所２２を備えている場合がある。ロッキングスタブ４４は、ワンド１が完全に伸長した場合に、凹所２２の内部に突出する。突起２１から成る一方の組のみが、内側チューブ２が外側チューブ３に対して相対的に滑動した場合に、前方ボス３４と後方ボス３５との間を通過し、突起２１から成る他方の組は、後方ボス３５のみ同士の間を通過する。
【符号の説明】
【００３７】
１    伸縮式ワンド
２    内側チューブ
３    外側チューブ
４    キャッチ組立体
２０    平坦部分
２１    突起
２１ａ  第１の突起
２１ｂ  第２の突起
２２    凹所
２３    中央長手方向軸線
２４    シール
３１    開口部
３２    ラグ
３３    ストッパ
３４    前方ボス
３５    後方ボス
４１    キャッチ
４２    バネ
４３    ボタン
４４    ロッキングスタブ
４５    回動点
４６    凹所
４７    （ロッキングスタブ４４の）第１の側面
４８    （ロッキングスタブ４４の）第２の側面
【図１】
0006453831.tif 000002
【図２】
0006453831.tif 000003
【図３】
0006453831.tif 000004
【図４】
0006453831.tif 000005
【図５】
0006453831.tif 000006
【図６】
0006453831.tif 000007
【図７】
0006453831.tif 000008
【図８】
0006453831.tif 000009